(57)【要約】【課題】 枠体内のスクリュー体を駆動アクチュエータと制御手段で制御しスクリュー体を通じて遊技球を落下させて興趣の増大を図る。【解決手段】  上端に遊技球流入開口１ａと下部に遊技球流出開口１ｂを形成した枠体１と、該枠体の内部に回転可能に軸支し、かつ支軸部の周囲に前記遊技球流入開口から流入した遊技球Ｐを前記遊技球流出開口へ誘導する１又は複数の螺旋状球通路７を設けたスクリュー体２と、前記スクリュー体を回転駆動させる駆動アクチュエータ９と、前記駆動アクチュエータを制御する制御手段１５とを備え、前記スクリュー体から落下する遊技球の落下位置を変化させる。【選択図】  図１
2006122485.tif 000002
【特許請求の範囲】
【請求項１】
上端に遊技球流入開口と下部に遊技球流出開口を形成した枠体と、
該枠体の内部に回転可能に軸支し、かつ支軸部の周囲に前記遊技球流入開口から流入した遊技球を前記遊技球流出開口へ誘導する１又は複数の螺旋状球通路を設けたスクリュー体と、
前記スクリュー体を回転駆動させる駆動アクチュエータと、
前記駆動アクチュエータを制御する制御手段とを備え、
前記スクリュー体から落下する遊技球の落下位置を変化させることを特徴とする遊技機用球誘導装置。
【請求項２】
前記スクリュー体に設けた複数の螺旋状球通路の少なくとも一箇所に別の球通路に遊技球を落下させるための落下孔を設けた請求項１に記載の遊技機用球誘導装置。
【請求項３】
前記スクリュー体に設けた１つの螺旋状球通路の少なくとも一箇所に同一球通路上に遊技球を落下させるための落下孔を設けた請求項１に記載の遊技機用球誘導装置。
【請求項４】
前記枠体の遊技球流出開口には、スクリュー体から落下する遊技球を振分ける遊技球振分手段を備えた請求項１ないし３のいずれかに記載の遊技機用球誘導装置。
【請求項５】
前記遊技球流出開口又は前記遊技球振分手段に連通して入賞手段を備えた前記請求項１ないし４のいずれかに記載の遊技機用球誘導装置。
【発明の詳細な説明】
【技術分野】
【０００１】
この発明はパチンコ機、アレンジボール機等の遊技盤に備えて使用するのに適した遊技機用球誘導装置に関する。
【背景技術】
【０００２】
従来、弾球遊技機において、螺旋形状の球受け部を有した螺旋回動部材を遊技球通過樋内に回動可能に軸支すると共に、前記螺旋回動部材が、前記球受け部に受けた遊技球の自重によって回動するように構成したこと、前記遊技球通過樋の下端部に、遊技球を遊技領域に排出するための球出口を形成し、螺旋回動部材は前記球受け部に沿って螺旋状に流下させながらその遊技球の自重を前記球受け部が受けて回動するように構成したことが公開されている（特許文献１参照）。
【０００３】
【特許文献１】特開２００４−２２３０６１（図３）
【発明の開示】
【発明が解決しようとする課題】
【０００４】
前記遊技機では、螺旋回動部材が遊技球の自重を球受け部が受けて自重で回動するものであり、この構造では螺旋回動部材の回転の制御をすることができないという問題点があった。
この発明は、このような問題点を解決するためになされたもので、枠体内に軸支するスクリュー体の回動を駆動アクチュエータと制御手段で制御しスクリュー体を通じて落下する遊技球の落下位置を変化させて興趣の増大を図る遊技機用球誘導装置を提供することを目的とする。
【課題を解決するための手段】
【０００５】
この発明の請求項１の遊技機用球誘導装置は、上端に遊技球流入開口と下部に遊技球流出開口を形成した枠体と、該枠体の内部に回転可能に軸支し、かつ支軸部の周囲に前記遊技球流入開口から流入した遊技球を前記遊技球流出開口へ誘導する１又は複数の螺旋状球通路を設けたスクリュー体と、前記スクリュー体を回転駆動させる駆動アクチュエータと、前記駆動アクチュエータを制御する制御手段とを備え、前記スクリュー体から落下する遊技球の落下位置を変化させることを特徴とする。
【０００６】
上記構成としたこの発明の遊技機用球誘導装置は、駆動アクチュエータと制御手段で枠体内に軸支したスクリュー体の回転駆動を制御して、そのスクリュー体の１又は複数の螺旋状球通路を通じて遊技球を落下させ遊技球の誘導に変化を富ませる。スクリュー体を駆動アクチュエータと制御手段で一定方向回転、双方向回転、一定速回転と可変速回転、連続回転と間欠回転等制御して遊技球の落下に変化を持たせる。
【０００７】
請求項２の発明は、請求項１において、前記スクリュー体に設けた複数の螺旋状球通路の少なくとも一箇所に別の球通路に遊技球を落下させるための落下孔を設けたものであり、遊技球をスクリュー体の螺旋状球通路の途中に設けた落下孔を通じて別の螺旋状球通路に落下させる。
請求項３の発明は、請求項１において、前記スクリュー体に設けた１つの螺旋状球通路の少なくとも一箇所に同一球通路上に遊技球を落下させるための落下孔を設けたものであり、遊技球をスクリュー体の螺旋状球通路の途中に設けた落下孔より同一球通路上に落下させる。
【０００８】
請求項４の発明は、請求項１ないし３のいずれかにおいて、前記枠体の遊技球流出開口には、スクリュー体から落下する遊技球を振分ける遊技球振分手段を備えたものであり、前記枠体の遊技球流出開口から出る遊技球を遊技球振分手段で振分けることができる。
【０００９】
この発明の請求項５の発明は、前記遊技球流出開口又は前記遊技球振分手段に連通して入賞手段を備えた前記請求項１ないし４のいずれかに記載の遊技機用球誘導装置で、遊技球流出開口又は前記遊技球振分手段から出る遊技球を入賞手段に誘導する。
【発明の効果】
【００１０】
この発明の遊技機用球誘導装置によれば、駆動アクチュエータと制御手段でスクリュー体の回転を制御して、そのスクリュー体の１又は複数の螺旋状球通路を通じて落下する遊技球の落下位置を変化させることができ、遊技者の興趣を高めることができる。
【００１１】
この発明によれば、スクリュー体に設けた複数の螺旋状球通路の少なくとも１箇所に落下孔を設けた場合、螺旋状球通路を流下する遊技球を落下孔より別の球通路に落下させて落下経路を変化させ、遊技者の興趣を高めることができる。
また、スクリュー体に設けた１つの螺旋状球通路の少なくとも１箇所に落下孔を設けた場合、螺旋状球通路を流下する遊技球を落下孔より同一球通路上に落下させて落下時間を変化させることができ、遊技者の興趣を高めることができる。
【００１２】
この発明によれば、遊技球流出開口に遊技球振分手段を設けて、遊技機用球誘導装置で落下位置を変化させて円筒体の遊技球流出開口から流出する遊技球を振分けて遊技者の興趣を高めることができる。
【００１３】
この発明によれば、遊技球流出開口又は遊技球振分手段に連通して入賞手段を備えて、遊技球流出開口又は前記遊技球振分手段から流出する遊技球を入賞手段に入賞させることにより興趣を増大できる。
【発明を実施するための最良の形態】
【００１４】
以下に、この発明を実施するための最良の形態について図面を参照して説明する。図１はこの発明の遊技機用球誘導装置で、スクリュー体が１枚の翼片の場合を示す斜視図、図２はスクリュー体が３枚の翼片の場合を示す斜視図、図３はこの発明の遊技機用球誘導装置で、遊技球振分手段および遊技球分岐手段を備えた断面図、図４は３枚のスクリュー体に落下孔を設けた場合の斜視図、図５は１枚のスクリュー体に落下孔を設けた場合の斜視図、図６はこの発明の遊技機用球誘導装置で、遊技球振分手段を備えた遊技球分岐手段を分離して示す斜視図である。
【００１５】
図１ないし図６において、この発明の遊技機用球誘導装置を詳細に説明する。
１は、合成樹脂製等の枠体で、実施形態では円筒体とし、上端に遊技球Ｐが流入する遊技球流入開口１ａと、下部には遊技球Ｐが流出する遊技球流出開口１ｂが形成されている。また枠体１は透明或いは半透明として、内部のスクリュー体と、そのスクリュー体を転動する遊技球が外部より見えるようにするのが好ましい。前記円筒体１の遊技球流入開口１ａは、例えば遊技機等の遊技盤４０に設ける球受入口等と連通させて備える。また、遊技球流出開口１ｂには、落下する遊技球Ｐを振分ける遊技球振分手段２５、或いは、複数の入賞口或いはアウト口等を有する入賞手段４５等を設けて使用する。枠体１は円筒体の場合を示したが、これに限られるものではなく、例えば角筒体などとすることもできる。
２は前記枠体１の内部に回転可能に備えられ、かつ前記遊技球流入開口１ａから流入した遊技球Ｐを前記遊技球流出開口１ｂへ誘導する合成樹脂製等スクリュー体で、前記枠体１の内部で回転自由に軸支される。前記スクリュー体２の支軸部３には軸４が設けられ、その軸４が上下の軸受け部で回転自由に軸支される。スクリュー体２は、支軸部３の周囲に１又は複数枚の螺旋状翼片６を設けて、前記流入開口１ａから流入した遊技球Ｐを前記流出開口１ｂへ誘導する１又は複数の螺旋状球通路７が構成される。このスクリュー体２と前記枠体１の内面との間には、遊技球の落下を規制する大きさの隙間が設けられている。
実施形態のスクリュー体２の支軸部３は、軸４とそれに嵌合する筒状ボス部５で構成され、ボス部５は軸４に回転方向に固定的に備えられ、そのボス部５の周囲に螺旋状翼片６が一体に設けられている。スクリュー体２のボス部５を軸４に回転方向に固定的に備える構造として、軸４の断面形状を円の片側を直線状にカットしたほぼ半円形状とし、ボス部５の内径も同じ断面形状として嵌合可能に設けてある。
図１および図５に示すように、ボス部５の周囲に１枚の螺旋状翼片６が設けられ、１つの螺旋状球通路７が構成される場合、図２および図４に示すようにボス部５の周囲に複数枚の螺旋状翼片６が設けられ、複数の螺旋状球通路が構成される場合がある。例えば、ボス部５に３枚の螺旋状翼片６が放射状に設けられて３つの螺旋状通路７ａ、７ｂ、７ｃが構成される。
【００１６】
図４に示すように、前記スクリュー体２に設けた複数枚の螺旋状翼片６の少なくとも一箇所に別の螺旋状翼片６に遊技球を落下させるための落下孔８が設けられる。この落下孔８を設けることにより、スクリュー体２の１つの螺旋状翼片６に転入した遊技球は落下孔８を通じて別の螺旋状翼片上に落下して落下経路を変える。
図５に示すように、スクリュー体２に設けた１枚の螺旋状翼片６の少なくとも一箇所に同一翼片上に遊技球を落下させるための落下孔８を設け、螺旋状に流下する遊技球が落下孔８を通じて直下の同一翼片上に落下し、落下時間を変化させる。
遊技球は翼片の傾斜による球の転動する速さによって前記落下孔８に入らないで、落下孔上を翼片に沿ってそのまま通過することもある。
【００１７】
前記スクリュー体２を回転駆動するために、駆動アクチュエータ９と、スクリュー体の回転を制御する制御手段１５が備えられ、駆動アクチュエータ９と制御手段１５によりスクリュー体２を制御駆動する。前記駆動アクチュエータ９は、例えば、ステッピングモータを使用し、ステッピングモータ９の駆動を歯車機構１１を介してスクリュー体２の軸４に伝動可能に設け、スクリュー体２の軸４の回転を駆動可能に設けられている。
歯車機構１１は、ステッピングモータ９の駆動軸１０に備える駆動歯車１２、中間の歯車１３、スクリュー体の軸４に備えた歯車１４とにより構成されている。
駆動アクチュエータ９により、スクリュー体の回転方向を逆回転（反転）させることもできる。スクリュー体を逆回転させると、遊技球はスクリュー体において落下する速度が多少変化し、遊技者の興趣を高めることができる。
図１ないし図６において、駆動アクチュエータ９と歯車機構１１は、スクリュー体２の軸４の上部に関連して設けられているが、これに限られるものではなく、設置可能な場所に設けることができる。
【００１８】
スクリュー体２は、ステッピングモータ９により一定方向回転、双方向回転、一定速回転と可変速回転、連続回転と間欠回転等の回転条件は制御手段（モータ制御手段）１５に応じて決定される。１６は環状板、１７は検出部、１８は基板、１９はフォトセンサ、２０はコネクタである。
フォトセンサ１９による、検出部１７における検出データは、ステッピングモータ９が正常回転しているか否かはもちろん、回転方向や回転速度を切り替えたりステッピングモータの停止位置を定めたりする為の基準としても利用できる。それにより、スクリュー体を特定位置に停止させることも可能である。一枚翼片の場合、例えば図６の遊技球振分手段２５の矢印Ａに落下しやすい位置にスクリュー体を回転移動させ、スクリュー体を一時停止させることで矢印Ａに球が入る確率を上げることも可能である。なお、制御手段１５は、例えば、球の通過を検出する検出手段（非接触式センサー）と関連させる制御装置（図示せず）と関連して設けられる。
【００１９】
図３では、スクリュー体２を上部で駆動するために、上部に駆動アクチュエータ９を備え、合成樹脂製カバー部材２１を円筒体１の上部に備えた場合を示した。カバー部材２１は、前記スクリュー体を備えた円筒体１の上部に嵌合して備え、遊技球流入開口２２と、軸４の軸受け部２３と、歯車機構１１の軸受け部２４等が形成されている。カバー部材２１の遊技球流入開口２２に流入した遊技球は前記円筒体１の流入開口１ａに流入する。
【実施例１】
【００２０】
図１、図３および図５に示すスクリュー体２は、縦方向に３個に分割した形態で、一枚の螺旋状翼片６が設けられスクリュー体の単体２ａを軸４に３個嵌合して構成してある。すなわち、スクリュー体の単体２ａは短いボス部５に螺旋状翼片６を一体成形し、これを軸４の段部４ａまでに上部より嵌合して３個縦方向に積み重ね、かつ螺旋状の翼片を連続的に合わせて１つの螺旋状球通路を構成したスクリュー体２を構成してある。
図２および図４に示すスクリュー体２は、前記実施例と同様に縦方向に３個に分割成形し、３枚の螺旋状翼片６が設けられスクリュー体の単体２ａを軸４に３個嵌合して構成してある。すなわち、スクリュー体の単体２ａは、短いボス部５に３枚の螺旋状翼片６を放射状に一体成形し、これを軸４の段部までに上部より嵌合して３個縦方向に積み重ね、かつ３枚の螺旋状の翼片をそれぞれ連続的に合わせて３つの螺旋状球通路を構成したスクリュー体２を設けてある。
各スクリュー体の単体２ａは軸４に前記のように回転方向に固定的に嵌合して、軸と一体で回転可能とされる。スクリュー体を分割するのは成形をし易くするためである。なお、前記スクリュー体は、単体を３個積み重ねる場合を示したが、これに限られるものでなく、スクリュー体の単体を追加したり、減少させたりすることも可能である。また、スクリュー体は一体に成形することもできる。
スクリュー体２を駆動アクチュエータ９で駆動させ、１枚の螺旋状翼片６が設けられたスクリュー体の場合には、転入した遊技球を１つの螺旋状球通路７を通じて、３枚の螺旋状翼片６が設けられたスクリュー体の場合には、転入した遊技球を複数の螺旋状球通路７ａ、７ｂ、７ｃを通じて遊技球の落下位置を変化させ、遊技球の誘導に変化を富ませる。
【実施例２】
【００２１】
図４に示すスクリュー体２は、３枚の螺旋状翼片６の少なくとも一箇所に別の螺旋状翼片６に遊技球を落下させるための落下孔８が設けられ、図５に示すスクリュー体２は、１枚の螺旋状翼片６の少なくとも一箇所に遊技球を落下させるための落下孔８が設けられている。３枚の螺旋状翼片６の場合にはそれぞれに落下孔８を設けることができる。前記落下孔８は螺旋状翼片６の途中を球の径より広く切断して設けてある。落下孔８は切欠き凹孔でも円形の孔でもよい。
３枚の螺旋状翼片の場合、例えば、螺旋状球通路７ａに転入した遊技球が途中に設けた落下孔８を通じて矢印のように別の球通路７ｂに落下して落下経路が変化し、出口までに要する時間を変化させることができ、或いは遊技球が落下孔に入らないで翼片に沿ってそのまま流下するなど変化に富ませて遊技者の興趣を高めることができる。
１枚の螺旋状翼片の場合、螺旋状球通路７に転入した遊技球が落下孔８を通じて矢印のように同一球通路に落下して落下時間を変化させることができ、或いは前記と同様に落下孔に入らないでそのまま流下するなどの変化で遊技者の興趣を高めることができる。
【実施例３】
【００２２】
図３および図６に 前記枠体１の遊技球流出開口１ｂに、スクリュー体２から落下する遊技球Ｐを振分ける遊技球振分手段２５を備えた場合を示す。
２５は、前記円筒体１の遊技球流出開口１ｂに備え、スクリュー体から落下する遊技球を振分ける遊技球振分手段である。この遊技球振分手段２５は、円筒型器体２６の内部中心に前記スクリュー体２の軸４を挿通する軸受け部２７と、その軸受け部の周囲に遊技球を振分ける振分け羽根２８が傾斜状に設けられている。図６では振分け羽根として、３枚の螺旋状羽根２８ａ、２８ｂ、２８ｃが形成され、３つの振分け通路が構成される。
前記遊技球流出開口１ｂに前記遊技球振分手段２５を設けた場合には、円筒体１の遊技球流出開口１ｂから流出する遊技球を振分手段で振分けることができるので、遊技者の興趣を一層増大できる。
【００２３】
３０は、前記遊技球振分手段２５の下方に装着するもので、前記遊技球振分手段２５の円筒型器体２６と合致する円形型器体３１の中心に前記スクリュー体２の軸４を挿通する軸受け部３２と、その軸受け部３２を中心とする周面に区分した複数の球導出通路３３が形成された遊技球分岐手段である。また、３４は軸４の下端を支持する軸受け部である。
図では複数の球導出通路３３として、導出通路３３ａ、３３ｂ、３３ｃが構成される。この導出通路３３ａ、３３ｂ、３３ｃは、例えば、別の振分け手段（回転体等）、入賞口、アウト口などに連通させて備えることができる。
遊技球振分手段２５の下方に前記遊技球分岐手段３０を設けた場合には、振分手段２５で振分けた遊技球を遊技球分岐手段３０の分岐した通路を通じて排出できる。
【００２４】
図６に示すように、遊技球振分手段２５の下方に遊技球分岐手段３０を設ける際に、遊技球振分手段２５の螺旋状羽根２８ａ、２８ｂ、２８ｃによる振分け通路と遊技球分岐手段３０の導出通路３３ａ、３３ｂ、３３ｃとを合わせて配置して結合し、枠体１の遊技球流出開口１ｂから排出されて遊技球振分手段２５の矢印Ａに入った遊技球は遊技球分岐手段３０の導出通路３３ａの矢印Ａへ、遊技球振分手段２５の矢印Ｂに入った遊技球は遊技球分岐手段３０の導出通路３３ｂの矢印Ｂへ、遊技球振分手段２５の矢印Ｃに入った遊技球は遊技球分岐手段３０の導出通路３３ｃの矢印Ｃへ流出するようにしてある。
【００２５】
前記実施形態では、前記枠体１に前記遊技球振分手段２５と前記遊技球分岐手段３０とを備えた場合を示したが、これに限られるものではなく、例えば、図８に示すように、器体４１の内部において、スクリュー体２を備えた枠体１を遊技球転動面４６の上方に備えることもできる。
【実施例４】
【００２６】
図７はこの発明の遊技機用球誘導装置を備えた遊技機の正面図、図８は遊技機用球誘導装置を示す一部破断斜視図である。
図７において、４０はパチンコ遊技機の遊技盤で、その適所、例えば遊技面の中央に遊技機用球誘導装置が備えられている。この遊技機では、遊技面に備える器体４１の球受入口を開閉する羽根４３、内部に前記枠体１とスクリュー体２、その枠体１の遊技球流出開口又は前記遊技球振分手段に連通させた入賞手段４５が備えられている。
遊技盤４０の下部には左右に第１チャッカー５０と第２チャッカー５１が設けられ、器体４１の上部の羽根４３と連動させる。例えば、第１チャッカー５０に遊技球が入ると、前記器体４１の上部の羽根４３が１回開き、第２チャッカー５１に遊技球が入ると羽根４３が２回開くように連動させる。羽根が開く時間は適宜設定される。
図８において、遊技機用球誘導装置は、器体４１の上部左右に球受入口４２が設けられ、その球受入口４２に開閉する羽根４３が備えられ、該球受入口４２から遊技球を送る通路４４が設けられ、該通路の下方位置で、器体４１の内部の奥に前記した円筒体１とスクリュー体２が備えられ、器体４１の下部には遊技球を入賞可能とする入賞手段４５が設けられている。スクリュー体２の支軸部は器体４１内に備えられ、スクリュー体を駆動する駆動アクチュエータ（図８に図示せず）が備えられる。
器体４１内の下部に設ける入賞手段４５は、前記円筒体１の遊技球流出開口１ｂの下方に、遊技球を転動させる遊技球転動面４６が前方へ傾斜して設けられ、その前端中央に特定入賞口（Ｖ入賞口）４７と左右にアウト口４８が設けられ、かつ遊技球転動面４６上の前方に前記入賞口とアウト口に区分して誘導するための複数のガイド４９が間隔をおいて設けられている。前記円筒体１の遊技球流出開口１ｂから流出する遊技球Ｐは遊技球転動面４６上で前方へ転動させガイド４９により特定入賞口４７又はアウト口４８のいずれかに入るようにしてある。
而して、遊技球が羽根４３が開放されている球受入口４２から通路４４を通じて円筒体１の上部流入開口１ａに入り、例えば常時回転されているスクリュー体２の翼片に受けられて螺旋状に落下しながら円筒体１の下部の出口１ｂに排出され、遊技球転動面４６上で前方へ転動させて特定入賞口４７又はアウト口４８のいずれかに誘導される。
【００２７】
以上の実施形態を示したが、この発明はこの形態に限定されるものではなく、この発明の要旨を逸脱しない範囲で、種々の形態を実施しうるものである。この発明は、パチンコ遊技機、アレンジボール機に限られるものではなく、各種の遊技機に適用できる。
【図面の簡単な説明】
【００２８】
【図１】この発明の遊技機用球誘導装置で、スクリュー体が１枚の翼片の場合を示す斜視図である。
【図２】スクリュー体が３枚の翼片の場合を示す斜視図である。
【図３】この発明の遊技機用球誘導装置に遊技球振分手段および遊技球分岐手段を備えた断面図である。
【図４】３枚のスクリュー体に落下孔を設けた場合の斜視図である。
【図５】１枚のスクリュー体に落下孔を設けた場合の斜視図である。
【図６】この発明の遊技機用球誘導装置で、遊技球振分手段を備えた遊技球分岐手段とを分離して示す斜視図である。
【図７】この発明の遊技機用球誘導装置を備えた遊技機の正面図である。
【図８】遊技機用球誘導装置を示す一部破断斜視図である。
【符号の説明】
【００２９】
１  枠体（円筒体）
１ａ  遊技球流入開口
２  スクリュー体
３  支軸部
４  軸
５  ボス部
６  螺旋状翼片
７  螺旋状球通路
７ａ、７ｂ、７ｃ  螺旋状通路
８  落下孔
９  駆動アクチュエータ
１１  歯車機構
１５  制御手段
１６  環状板
１９  フォトセンサ
２５  遊技球振分手段
３０  遊技球分岐手段
４１  器体
４２  球受入口
４３  羽根
４５  入賞手段
４６  遊技球転動面
Ｐ  遊技球  
【図１】
2006122485.tif 000003
【図２】
2006122485.tif 000004
【図３】
2006122485.tif 000005
【図４】
2006122485.tif 000006
【図５】
2006122485.tif 000007
【図６】
2006122485.tif 000008
【図７】
2006122485.tif 000009
【図８】
2006122485.tif 000010